(57)【要約】【課題】外筒金具と中間スリーブとの軸方向の耐抜け力が十分に大きな流体封入式筒型防振組付体を有利に量産し得る方法を提供する。【解決手段】  テーパ筒形状を呈し、小径側の端部に内フランジ部６２が設けられた外筒金具１８の内周面にシールゴム層４８を設ける一方、内フランジ部６２の内側面に凹溝７０を形成する。その後、軸方向一端部が小径化された中間スリーブ１４と軸部材１２とが本体ゴム弾性体１６にて連結された中間成形体８２に対して、外筒金具１８を、非圧縮性流体８３中で外挿した後、縮径して、嵌着固定せしめると共に、外筒金具１８の大径側端部を径方向内方に屈曲させて、係合部７２を形成し、また、この係合部７２を中間スリーブ１４の大径側端部に係合せしめるようにした。【選択図】図８
2007255688.tif 000002
【特許請求の範囲】
【請求項１】
軸部材と、該軸部材の外周側に離間配置された中間スリーブと、該軸部材と該中間スリーブとの間に介装されて、それら軸部材と中間スリーブとを連結する本体ゴム弾性体と、内周面上にシールゴム層が設けられた状態で、該中間スリーブに外挿されて、嵌着固定された外筒金具と、該外筒金具の軸方向一方側の端部が径方向内方に屈曲せしめられて形成された係合部と、該外筒金具の軸方向他方側の端部に一体形成された内フランジ部と、該外筒金具と前記軸部材との間に、壁部の少なくとも一部が前記本体ゴム弾性体と前記シールゴム層とにて構成された状態で設けられて、内部に非圧縮性流体が封入された流体室とを有し、前記係合部を前記中間スリーブの軸方向一方側の端部に係合せしめる一方、前記内フランジ部を該中間スリーブの軸方向他方側の端部に接触、係合せしめて構成した流体封入式筒型防振組付体の製造方法であって、
前記軸部材と前記中間スリーブとが前記本体ゴム弾性体にて連結せしめられた一体加硫成形品からなり、且つ該中間スリーブの軸方向一方側の端部よりも軸方向他方側の端部の方が小径化されてなる中間成形体を準備する工程と、
軸方向一方側から他方側に向かうに従って次第に小径化するテーパ筒形状を呈し、且つ小径側の端部に、前記内フランジ部が一体形成された金属成形品を、前記外筒金具として準備する工程と、
該準備された外筒金具の内周面上に、前記シールゴム層を形成する工程と、
該外筒金具における前記内フランジ部の内側面に、径方向に延出して、該内側面上と径方向内方とにそれぞれ開口する凹溝を設ける工程と、
所定の収容体内に収容された前記非圧縮性流体中において、前記凹溝が設けられた前記外筒金具を前記中間成形体に外挿し、該外筒金具における前記内フランジ部の前記内側面を該中間成形体における前記中間スリーブの小径側の端面に接触、係合させて、それら外筒金具と中間成形体とを組み付けた後、該外筒金具に対する縮径加工を行って、該中間スリーブに対して該外筒金具を嵌着固定せしめると共に、該外筒金具における大径側の端部を径方向内方に屈曲させることにより、前記係合部を形成して、該係合部を該中間スリーブの大径側の端部に係合せしめる工程と、
を含むことを特徴とする流体封入式筒型防振組付体の製造方法。
【請求項２】
前記外筒金具における前記内フランジ部の内側面上に、前記シールゴム層を所定の厚さで設けると共に、該内フランジ部の内側面上に設けられた該シールゴム層における該内フランジ部側とは反対側の面に、前記凹溝を形成することを特徴とする請求項１に記載の流体封入式筒型防振組付体の製造方法。
【請求項３】
前記外筒金具と前記中間成形体との組付け後の該外筒金具に対する縮径加工を、該外筒金具における前記内フランジ部の形成側の端部が、それとは反対側の端部よりも小径となるように実施することを特徴とする請求項１又は請求項２に記載の流体封入式筒型防振組付体の製造方法。
【発明の詳細な説明】
【技術分野】
【０００１】
本発明は、流体封入式筒型防振組付体の製造方法に係り、特に、軸方向の入力振動に対して、内部に封入された流体の流動作用に基づく防振効果が有利に発揮されて、自動車のサスペンション用メンバマウント等として好適に用いられる流体封入式筒型防振組付体の有利な製造方法に関するものである。
【背景技術】
【０００２】
従来から、振動伝達系を構成する二つの部材間に介装されて、それら両部材を防振連結する防振組付体の一種として、内部に封入した流体の共振作用等の流動作用に基づいて、より優れた防振特性が発揮され得るように構成された、所謂流体封入式筒型防振組付体が、知られている（例えば、特許文献１参照）。
【０００３】
この従来の流体封入式筒型防振組付体は、例えば、防振連結されるべき一方の部材に取り付けられる軸部材に対して、その径方向外方に所定距離隔てて配された中間スリーブ（アウタ筒部材）が、本体ゴム弾性体を介して連結されると共に、かかる中間スリーブに対して、防振連結されるべき他方の部材に取り付けられる外筒金具（外挿筒金具）が、その内周面上に配設された薄肉のシールゴム層を介して外挿されて、嵌着固定されている。また、本体ゴム弾性体に、外周面に開口するポケット部が形成されると共に、このポケット部の開口が外筒金具にて覆蓋されることにより、外筒金具と軸部材との間に、壁部の少なくとも一部が本体ゴム弾性体とシールゴム層とにて構成された、内部に非圧縮性流体が封入された流体室が設けられて成っている。そして、このような流体封入式筒型防振組付体が、例えば、自動車のサスペンション用メンバマウントやストラットバークッション、サスペンション用アッパーサポート等として、使用されているのである。
【０００４】
ところで、かくの如き従来の流体封入式筒型防振組付体の中には、外筒金具の軸方向一方側の端部に、内フランジ部を一体形成する一方、それとは反対側の端部に、径方向内方に屈曲せしめられてなる係合部を設け、そして、それら内フランジ部と係合部とを、中間スリーブの軸方向の両側端部にそれぞれ係合させてなる構造を有するものがある（例えば、下記特許文献２参照）。このような筒型防振組付体においては、外筒金具と中間スリーブとの間に及ぼされる軸方向への抜け力に対する抵抗力、つまり外筒金具と中間スリーブの軸方向における耐抜け力が、十分に確保され得るのである。
【０００５】
なお、このような筒型防振組付体を製造する際には、一般に、先ず、軸部材と中間スリーブとを本体ゴム弾性体にて連結せしめてなる中間成形体が、形成される。また、その一方で、軸方向一方側の端部に内フランジ部が一体形成されると共に、内周面上に薄肉のシールゴム層が配設された外筒金具が、形成される。次いで、非圧縮性流体中において、外筒金具が中間成形体に外挿され、外筒金具における内フランジ部の内側面が、中間スリーブの軸方向一方側の端面に接触、係合せしめられて、それら外筒金具と中間成形体とが組み付けられる。その後、外筒金具に対して、八方絞り等の縮径加工が行われて、外筒金具が中間スリーブに嵌着固定される一方、外筒金具における内フランジ部形成側とは反対側の端部が径方向内方に屈曲せしめられて、かかる端部に係合部が形成されると共に、この係合部が中間スリーブの端部に係合せしめられる。以て、目的とする流体封入式筒型防振組付体が得られるのである。
【０００６】
かかる状況下、本発明者等は、従来の流体封入式筒型防振組付体について、様々な角度から検討を加えた。その結果、この筒型防振組付体では、量産時において、製作性が不可避的に低下してしまうことが明らかとなった。
【０００７】
すなわち、上記せる如き従来の製造手法により筒型防振組付体を量産する場合には、通常、１個の加硫成形金型に対して、複数の外筒金具をセットした状態で、それら各外筒金具の内周面上に、シールゴム層が同時に加硫成形されることとなる。このとき、外筒金具の軸方向一端部に内フランジ部が設けられているところから、シールゴム層の加硫成型後の離型に際して、外筒金具の内孔内に突入せしめられた金型部分を、外筒金具の軸方向他方側のみから引き抜かなければならず、それ故に、そのような金型部分の外周面と外筒金具の内周面との間での摺動抵抗が極めて大きなものとなってしまう。このため、外筒金具の加硫成形金型からの離型が困難となって、複数の外筒金具の同時形成、更には目的とする筒型防振組付体の量産に際しての製作性が低下するといった問題が、惹起されていたのである。
【０００８】
そこで、本発明者等は、そのような問題を解消するために、外筒金具を軸方向一方側から他方側に向かうに従って径が漸増するテーパ筒形状として、外筒金具に抜け勾配を付与することを着想した。つまり、抜け勾配を付与することで、外筒金具の離型性を高め得るようにしたのである。
【０００９】
ところが、実際に、テーパ筒状の外筒金具を用いて筒型防振組付体を製造したところ、離型性の向上により、確かに、外筒金具の製作性は高められたものの、目的とする筒型防振組付体の製造過程で、外筒金具を中間成形体に非圧縮性流体中で外挿して、それらを組み付けた後、外筒金具に対する縮径加工を行ったときに、流体室の壁部の一部を構成する本体ゴム弾性体が部分的に膨張し、それによって、防振特性や使用耐久性に悪影響が及ぼされることが判明したのであり、また場合によっては、そのような本体ゴム弾性体の膨張部分に損傷が生ずる恐れさえもあることが判ったのである。
【００１０】
【特許文献１】特開平５−３３２３９３号公報
【特許文献２】特開平１０−４７４２０号公報
【発明の開示】
【発明が解決しようとする課題】
【００１１】
ここにおいて、本発明は、上述せる如き事情を背景にして為されたものであって、その解決課題とするところは、外筒金具と中間スリーブとの軸方向における耐抜け力が十分な大きさにおいて確保可能な流体封入式筒型防振組付体を、優れた製作性をもって、しかも防振特性や使用耐久性を損なうことなく、有利に量産することが出来る流体封入式筒型防振組付体の製造方法を提供することにある。
【課題を解決するための手段】
【００１２】
そして、かかる課題の解決のために、本発明者等は、先ず、非圧縮性流体中で、テーパ筒状の外筒金具を中間成形体に外挿して、組み付けた後、外筒金具に対する縮径加工を行ったときに、流体室の壁部の一部を構成する本体ゴム弾性体が部分的に膨張する原因の究明を行った。その結果、以下の如き結論に達した。
【００１３】
すなわち、非圧縮性流体中で、外筒金具を、内フランジ部において中間スリーブの端面に接触、係合させた状態で中間成形体に組み付けた時、外筒金具における内フランジ部形成側とは反対の大径側の端部と、中間スリーブにおける内フランジ部との係合側とは反対側の端部との間には、流体の流動を許容する逃げ道（間隙）が形成される。そして、外筒金具の縮径過程では、外筒金具の縮径量の漸増に伴って、外筒金具と軸部材との間に存在する流体が、かかる逃げ道を通じて、外部に逃がされる。その後、縮径の進行により、外筒金具の大径側端部に、径方向内方に屈曲せしめられた係合部が形成されて、この係合部が中間スリーブに係合せしめられると、そのような逃げ道が閉鎖される。このとき、外筒金具と軸部材との間には、流体室内に収容されるべき量よりも多くの流体が、逃げ場を失った状態で残存せしめられるようになるが、この流体の残存量は、外筒金具の内周面と中間スリーブとの間に形成される隙間の容積に応じた量とされるため、外筒金具がテーパ筒形状とされていると、それがストレートな筒形状とされているときよりも、流体の残存量が不可避的に多くなってしまう。それ故、外筒金具がテーパ筒形状とされている場合には、係合部が中間スリーブに係合せしめられた状態から、外筒金具が中間スリーブに完全に嵌着固定されるまで更に縮径される間に、流体室内の流体圧が過度に上昇し、その結果として、流体室の壁部の一部を構成する本体ゴム弾性体が部分的に膨張するのであろうとの結論を得たのである。
【００１４】
そして、本発明者等は、外筒金具を中間成形体に非圧縮性流体中で組み付けた時、外筒金具と中間スリーブとの間に、上記せる第一の逃げ道に加えて、外筒金具における内フランジ部の形成側端部と、中間スリーブにおける内フランジ部との係合側端部との間にも、流体の流動を許容する第二の逃げ道を更に形成すると共に、縮径の進行により、外筒金具に係合部が形成され、それが中間スリーブに係合せしめられて、第一の逃げ道が閉鎖された後においても、第二の逃げ道が閉鎖されることのないように為すことによって、テーパ筒状とされた外筒金具と軸部材との間に、流体室内に収容されるべき量よりも多くの量をもって、逃げ場を失った状態で残存せしめられる流体の量が可及的に減少せしめられ、以て、本体ゴム弾性体の部分的な膨張が解消乃至は抑制され得ることを、前記せる結論から見出したのである。
【００１５】
而して、本発明は、かくの如き知見に基づいて更に鋭意研究を重ねた結果、完成されたものであって、その要旨とするところは、軸部材と、該軸部材の外周側に離間配置された中間スリーブと、該軸部材と該中間スリーブとの間に介装されて、それら軸部材と中間スリーブとを連結する本体ゴム弾性体と、内周面上にシールゴム層が設けられた状態で、該中間スリーブに外挿されて、嵌着固定された外筒金具と、該外筒金具の軸方向一方側の端部が径方向内方に屈曲せしめられて形成された係合部と、該外筒金具の軸方向他方側の端部に一体形成された内フランジ部と、該外筒金具と前記軸部材との間に、壁部の少なくとも一部が前記本体ゴム弾性体と前記シールゴム層とにて構成された状態で設けられて、内部に非圧縮性流体が封入された流体室とを有し、前記係合部を前記中間スリーブの軸方向一方側の端部に係合せしめる一方、前記内フランジ部を該中間スリーブの軸方向他方側の端部に接触、係合せしめて構成した流体封入式筒型防振組付体の製造方法であって、（ａ）前記軸部材と前記中間スリーブとが前記本体ゴム弾性体にて連結せしめられた一体加硫成形品からなり、且つ該中間スリーブの軸方向一方側の端部よりも軸方向他方側の端部の方が小径化されてなる中間成形体を準備する工程と、（ｂ）軸方向一方側から他方側に向かうに従って次第に小径化するテーパ筒形状を呈し、且つ小径側の端部に、前記内フランジ部が一体形成された金属成形品を、前記外筒金具として準備する工程と、（ｃ）該準備された外筒金具の内周面上に、前記シールゴム層を形成する工程と、（ｄ）該外筒金具における前記内フランジ部の内側面に、径方向に延出して、該内側面上と径方向内方とにそれぞれ開口する凹溝を設ける工程と、（ｅ）所定の収容体内に収容された前記非圧縮性流体中において、前記凹溝が設けられた前記外筒金具を前記中間成形体に外挿し、該外筒金具における前記内フランジ部の前記内側面を該中間成形体における前記中間スリーブの小径側の端面に接触、係合させて、それら外筒金具と中間成形体とを組み付けた後、該外筒金具に対する縮径加工を行って、該中間スリーブに対して該外筒金具を嵌着固定せしめると共に、該外筒金具における大径側の端部を径方向内方に屈曲させることにより、前記係合部を形成して、該係合部を該中間スリーブの大径側の端部に係合せしめる工程とを含むことを特徴とする流体封入式筒型防振組付体の製造方法にある。
【発明の効果】
【００１６】
要するに、本発明に従う流体封入式筒型防振組付体の製造方法によれば、外筒金具が、その軸方向の両側端部にそれぞれ設けられた内フランジ部と係合部とにおいて、中間スリーブの軸方向両側端部に各々係合せしめられた状態で、中間スリーブに嵌着固定されるため、それら外筒金具と中間スリーブとの軸方向における耐抜け力が、十分な大きさにおいて確保可能となる。
【００１７】
また、かかる本発明手法においては、内周面上にシールゴム層が配設されると共に、テーパ筒形状とされて、抜け勾配が付与されることで、シールゴム層の加硫成形時に、高い離型性が発揮される金属成形品が、外筒金具として準備されるところから、そのような外筒金具を準備する際に、複数の外筒金具が、優れた製作性をもって、同時に且つ容易に得られることとなる。
【００１８】
そして、本発明に係る流体封入式筒型防振組付体の製造方法では、特に、中間成形体として、外筒金具の内フランジ部との係合側端部が、それとは反対側の端部よりも小径化せしめられた中間スリーブを有するものが用いられ、また、この中間成形体に外筒金具を組み付けた状態での外筒金具に対する縮径加工の実施に先立って、外筒金具に対して、内フランジ部の内側面に、径方向に延出して、内側面上と径方向内方とにそれぞれ開口する凹溝が設けられる。
【００１９】
このため、本発明手法においては、外筒金具を中間成形体に非圧縮性流体中で組み付けた時、外筒金具における内フランジ部形成側とは反対の大径側の端部と、中間スリーブにおける内フランジ部との係合側とは反対側の端部との間に、前記せる如き第一の逃げ道が形成されるだけでなく、外筒金具の内フランジ部形成側端部と中間スリーブの内フランジ部に対する係合側端部との間にも、前記せる第二の逃げ道が、内フランジ部の内側面に設けられた凹溝にて、形成されるようになる。
【００２０】
そして、中間スリーブの内フランジ部との係合側端部が、それとは反対側の端部よりも小径化されているため、非圧縮性流体中での外筒金具に対する縮径加工により、外筒金具に係合部が形成され、それが中間スリーブに係合せしめられて、第一の逃げ道が閉鎖された後においても、外筒金具の内フランジ部形成側端部と中間スリーブの内フランジ部に対する係合側端部とが、径方向において離間位置せしめられるようになり、それによって、それらの端部同士の間に残存せしめられた流体が、第二の逃げ道となる凹溝を通じて、外部に逃がされ得る状態が、安定的に確保され得る。
【００２１】
それ故、本発明手法を採用すれば、外筒金具がテーパ筒状とされているにも拘わらず、非圧縮性流体中での外筒金具に対する縮径時において、外筒金具と軸部材との間に、流体室内に収容されるべき量よりも多くの量をもって、逃げ場を失った状態で残存せしめられる流体の量が可及的に減少せしめられ、以て、本体ゴム弾性体の部分的な膨張が、効果的に解消乃至は抑制され得る。
【００２２】
従って、かくの如き本発明に従う流体封入式筒型防振組付体の製造方法によれば、外筒金具と中間スリーブとの軸方向における耐抜け力が十分な大きさにおいて確保可能な流体封入式筒型防振組付体を、優れた製作性をもって、しかも防振特性や使用耐久性を損なうことなく、有利に量産することが可能となるのである。
【発明の態様】
【００２３】
ところで、本発明は、少なくとも、以下に列挙する如き各種の態様において、好適に実施され得るものである。
【００２４】
＜１＞軸部材と、該軸部材の外周側に離間配置された中間スリーブと、該軸部材と該中間スリーブとの間に介装されて、それら軸部材と中間スリーブとを連結する本体ゴム弾性体と、内周面上にシールゴム層が設けられた状態で、該中間スリーブに外挿されて、嵌着固定された外筒金具と、該外筒金具の軸方向一方側の端部が径方向内方に屈曲せしめられて形成された係合部と、該外筒金具の軸方向他方側の端部に一体形成された内フランジ部と、該外筒金具と前記軸部材との間に、壁部の少なくとも一部が前記本体ゴム弾性体と前記シールゴム層とにて構成された状態で設けられて、内部に非圧縮性流体が封入された流体室とを有し、前記係合部を前記中間スリーブの軸方向一方側の端部に係合せしめる一方、前記内フランジ部を該中間スリーブの軸方向他方側の端部に接触、係合せしめて構成した流体封入式筒型防振組付体の製造方法であって、（ａ）前記軸部材と前記中間スリーブとが前記本体ゴム弾性体にて連結せしめられた一体加硫成形品からなり、且つ該中間スリーブの軸方向一方側の端部よりも軸方向他方側の端部の方が小径化されてなる中間成形体を準備する工程と、（ｂ）軸方向一方側から他方側に向かうに従って次第に小径化するテーパ筒形状を呈し、且つ小径側の端部に、前記内フランジ部が一体形成された金属成形品を、前記外筒金具として準備する工程と、（ｃ）該準備された外筒金具の内周面上に、前記シールゴム層を形成する工程と、（ｄ）該外筒金具における前記内フランジ部の内側面に、径方向に延出して、該内側面上と径方向内方とにそれぞれ開口する凹溝を設ける工程と、（ｅ）所定の収容体内に収容された前記非圧縮性流体中において、前記凹溝が設けられた前記外筒金具を前記中間成形体に外挿し、該外筒金具における前記内フランジ部の前記内側面を該中間成形体における前記中間スリーブの小径側の端面に接触、係合させて、それら外筒金具と中間成形体とを組み付けた後、該外筒金具に対する縮径加工を行って、該中間スリーブに対して該外筒金具を嵌着固定せしめると共に、該外筒金具における大径側の端部を径方向内方に屈曲させることにより、前記係合部を形成して、該係合部を該中間スリーブの大径側の端部に係合せしめる工程とを含むことを特徴とする流体封入式筒型防振組付体の製造方法。
【００２５】
＜２＞  上記の態様＜１＞において、前記外筒金具における前記内フランジ部の内側面上に、前記シールゴム層を所定の厚さで設けると共に、該内フランジ部の内側面上に設けられた該シールゴム層における該内フランジ部側とは反対側の面に、前記凹溝を形成すること。この本態様によれば、外筒金具の内周面上にシールゴム層を加硫成形すると同時に、内フランジ部の内側面上に凹溝を形成することが出来る。これによって、目的とする流体封入式筒型防振組付体の製造に際しての工程数の削減が可能となり、以て、流体封入式筒型防振組付体の製作性が、更に効果的に高められ得る。
【００２６】
＜３＞  上記せる態様＜１＞又は態様＜２＞において、前記外筒金具と前記中間成形体との組付け後の該外筒金具に対する縮径加工を、該外筒金具における前記内フランジ部の形成側の端部が、それとは反対側の端部よりも小径となるように実施すること。この本態様によれば、中間スリーブに対する縮径加工により、小径化された中間スリーブの内フランジ部との係合側端部に対して、外筒金具を確実に密接させることが可能となり、それによって、より優れたシール性が確保され得ることとなる。
【発明を実施するための最良の形態】
【００２７】
以下、本発明を更に具体的に明らかにするために、本発明に従う一実施形態について、図面を参照しつつ、詳細に説明する。
【００２８】
先ず、図１及び図２には、本発明に従う構造を有する流体封入式筒型防振組付体の一実施形態としての自動車用サスペンションメンバマウントが、その縦断面形態と横断面形態とにおいて、それぞれ概略的に示されている。それらの図から明らかなように、本実施形態のサスペンションメンバマウント１０は、互いに径方向に所定距離を隔てて配された軸部材としての内筒金具１２と中間スリーブ１４とを有し、それら内筒金具１２と中間スリーブ１４とが、本体ゴム弾性体１６によって弾性的に連結された構造とされている。また、かかる中間スリーブ１４には、外筒部材としての外筒金具１８が外挿されて、嵌着固定されている。
【００２９】
そして、このようなメンバマウント１０は、図に明示されてはいないものの、図１中の上下方向が車両上下方向となり、且つ図２中の上下方向及び左右方向が車両の前後方向及び左右方向となる状態で、内筒金具１２が、車両のボデー側に取り付けられる一方、外筒金具１８が、サスペンションメンバに取り付けられることによって、サスペンションメンバのボデーに対する取付部位に介装されるようになっている。なお、以下の説明中、上下方向とは、原則として、図１中の上下方向をいうものとする。
【００３０】
より詳細には、内筒金具１２は、軸方向上端部が厚肉化された円筒形状を有している。また、この内筒金具１２の周りには、金属製の中間スリーブ１４が、径方向外方に所定距離を隔てて同軸的に配置されている。
【００３１】
中間スリーブ１４は、全体として、大径の略薄肉円筒形状を呈しており、軸方向中間部２０が、周方向に連続した凹溝状に小径化されている。また、中間スリーブ１４にあっては、かかる凹溝状とされた中間部２０を間に挟んだ軸方向下側端部２２が、軸方向上側端部２４よりも小径で且つ軸方向中間部よりも大径とされている。更に、かかる中間スリーブ１４における車両前後方向に相当する径方向両側部分には、上側端部２４の下側部分と中間部２０の全体と下側端部２２の上側部分とを切り欠いた切欠形態をもって、半周には所定寸法至らない周方向長さで延びる一対の窓部２６，２６が形成されている。
【００３２】
そして、このような中間スリーブ１４と、それに対して径方向に所定距離を隔てて配された内筒金具１２との間に、全体として、略厚肉円筒形状を呈する本体ゴム弾性体１６が介装されており、この本体ゴム弾性体１６によって、内筒金具１２と中間スリーブ１４とが弾性的に連結されている。なお、この本体ゴム弾性体１６は、内筒金具１２と中間スリーブ１４がセットされた成形型内で加硫成形されている。即ち、かかる本体ゴム弾性体１６が、内外周面に内筒金具１２と中間スリーブ１４とが加硫接着された一体加硫成形品として、形成されているのである。
【００３３】
また、本体ゴム弾性体１６の軸方向中間部における車両前後方向（図２中、上下方向）に相当する径方向両側部分には、半周には所定寸法至らない周方向長さで延びる、凹陥部形態を呈する一対のポケット部３０，３０が形成されている。そして、それら一対のポケット部３０，３０が、中間スリーブ１４における一対の窓部２６，２６を通じて、それぞれ、中間スリーブ１４の外周面において開口せしめられている。また、かかる本体ゴム弾性体１６の各ポケット部３０の形成部分の上端面と下端面とには、それらの端面において開口する上側すぐり部３２と下側すぐり部３４とが、所定の深さをもって、それぞれ形成されている。
【００３４】
かくして、本体ゴム弾性体１６における各ポケット部３０の形成部分のうち、各ポケット部３０と上側及び下側すぐり部３２，３４とを仕切る仕切部分が、それぞれ薄肉部３６とされている。一方、本体ゴム弾性体１６のうち、周方向において各ポケット部３０の形成部分にて挟まれた部分であって、ポケット部３０が形成されていない部分が、それぞれ厚肉部３８とされている。換言すれば、車両前後方向に相当する径方向において対向位置する本体ゴム弾性体１６部分が、薄肉部３６とされている一方、車両左右方向に相当する径方向において対向位置する本体ゴム弾性体１６部分が、厚肉部３８とされている。
【００３５】
これによって、ここでは、車両左右方向に相当する径方向において硬いばね特性が発揮されて、優れた操縦安定性が確保され得るようになっていると共に、車両前後方向に相当する径方向にて柔らかいばね特性が発揮されて、ハーシュネス等に対する防振性能の向上が図られ、以て、優れた乗り心地が達成され得るように構成されているのである。
【００３６】
また、かかる本体ゴム弾性体１６の内外周面に内筒金具１２と中間スリーブ１４とが加硫接着されてなる一体加硫成形品には、同一形状とされた一対のオリフィス形成部材４０，４０が、組み付けられている。このオリフィス形成部材４０，４０は、それぞれ、全体として、略半円環形状を有しており、その外周面における幅方向（軸方向）の中央部には、周方向の一端部の端面において開口して、半周強の周方向長さをもって連続して延びる凹溝４２が形成されている。また、それら各オリフィス形成部材４０における周方向の略中央部には、幅方向の一端部の端面において開口して、幅方向の中央部に向かって連続して延び、且つかかる幅方向中央部において凹溝４２と連通する縦溝４４が形成されている。
【００３７】
そして、このような一対のオリフィス形成部材４０，４０が、それぞれの凹溝４２が開口せしめられる周方向の端面同士において対向せしめられ、且つそれぞれの縦溝４４が開口せしめられる幅方向の端面を下方側に位置せしめるように配された状態で、縦溝中間スリーブ１４の小径の中間部２０に対して、一対の窓部２６，２６のそれぞれの開口方向側から嵌め込まれて、組み付けられている。
【００３８】
これにより、一対のオリフィス形成部材４０，４０の各凹溝４２が周方向に接続され、以て、周方向に半周強の長さで延び、且つ長さ方向の両端部において、各縦溝４４を通じて、本体ゴム弾性体１６における一対のポケット部３０，３０にそれぞれ連通された周溝４６が形成されているのである。なお、本実施形態では、本体ゴム弾性体１６の一部が、中間スリーブ１４における小径の中間部２０の内外周面を取り巻くように形成されており、それによって、各オリフィス形成部材４０と、それが嵌め込まれる中間部２０との間に、かかる本体ゴム弾性体１６部分が介在せしめられて、それら各オリフィス形成部材４０と中間部２０との間がシールされるようになっている。
【００３９】
そして、このような一対のオリフィス形成部材４０，４０が組み付けられた一体加硫成形品に対して、内周面の全面に亘って薄肉のシールゴム層４８が形成されてなる外筒金具１８が、外挿されて、嵌着固定されている。ここでは、この外筒金具１８における軸方向下側端部が、軸方向上側端部よりも所定寸法だけ小径化されている。
【００４０】
かくして、一対のポケット部３０，３０の開口が、流体密に覆蓋されると共に、オリフィス形成部材４０，４０によって形成された周溝４６が流体密に覆蓋されている。そして、それによって、それぞれ内部に所定の非圧縮性流体が封入された第一流体室５０及び第二流体室５２と、それら第一流体室５０と第二流体室５２とを相互に連通するオリフィス通路５４とが、形成されているのである。
【００４１】
なお、ここでは、外筒金具１８の内周面に形成されたシールゴム層４８の内周面のうち、中間スリーブ１４における大径の上側端部２４の上部外周面に接触せしめられる部位と、それよりも小径の下側端部２２の下部外周面に接触せしめられる部位と、オリフィス形成部材４０の外周面に接触せしめられる部位とに、周方向に連続して延びる突条形態を呈するシール突起（５５）が、互いに軸方向に所定の間隔をおいて、それぞれ一体形成されており（図５及び図７参照）、それによって、外筒金具１８と中間スリーブ１４との間のシール性が、より十分に高められるようになっている。また、第一及び第二流体室５０，５２に封入される非圧縮性流体としては、水やアルキレングリコール、ポリアルキレングリコール、シリコーン油等が採用され得、特に、流体の共振作用に基づく防振効果を有効に得るためには、０．１Ｐａ・ｓ以下の粘度を有する低粘性流体が好適に採用される。
【００４２】
そして、このような構造とされた本実施形態のメンバマウント１０においては、内筒金具１２と外筒金具１８の間に軸方向の振動荷重が及ぼされると、本体ゴム弾性体１６の薄肉部３６の弾性変形に基づいて第一流体室５０と第二流体室５２の間で相対的な内圧変動が惹起されるようになる。また、それにより、第一流体室５０と第二流体室５２の間で、オリフィス通路５４を通じての流体流動が生ぜしめられ、以て、かかる流体の共振作用に基づいて防振効果が発揮され得るようになっている。そして、このような防振効果と、前述せる如き車両前後方向における柔らかいばね特性と車両左右方向における硬いばね特性とによって得られる防振効果とが相俟って、より一層優れた乗り心地が実現され得るようになっているのである。なお、流体の共振作用に基づく防振効果は、オリフィス通路５４の長さや断面積等を調節することによって、適当にチューニングすることが可能である。
【００４３】
ところで、かくの如き本実施形態においては、外筒金具１８の軸方向長さ（高さ）が、中間スリーブ１４よりも十分に大きくされている。そして、そのような外筒金具１８の中間スリーブ１４に対する外嵌固定状態下で、中間スリーブ１４の大径の上側端部２４の上端面５６よりも上側に位置する外筒金具１８の上側開口周縁部に、軸直角方向外方に所定寸法突出し、且つ周方向に連続して延びる外フランジ部５８が、一体的に形成されている。また、かかる状態下において、中間スリーブ１４の下側端部２２の下端面６０よりも下側に位置する外筒金具１８の下側開口周縁部には、軸直角内方に突出する内フランジ部６２が、一体的に周設されている。
【００４４】
すなわち、ここでは、外筒金具１８の上端部が、中間スリーブ１４の上端面５６よりも上方に延び出す延出筒壁部分と、その先端に設けられた外フランジ部５８とを有して構成されている一方、その下端部が、中間スリーブ１４の下端面６０よりも下方に延び出す延出筒壁部分と、その先端に設けられた内フランジ部６２とを含んで構成されているのである。
【００４５】
また、そのような外筒金具１８における外フランジ部５８の上面には、所定高さの略山形形状をもって突出するストッパゴム部６４が、シールゴム層４８と一体的に形成されている。一方、内フランジ部６２の下面にも、所定高さの略山形形状をもって突出する緩衝ゴム部６６が、シールゴム層４８と一体的に設けられている。
【００４６】
そして、メンバマウント１０が、車両に取り付けられた状態下において、軸方向に大きな振動荷重が入力せしめられた際に、各ストッパゴム部６４と各緩衝ゴム部６６とが、ボデー本体や、ボデー本体に設けられる、図示しないストッパ部材等に対して当接せしめられることにより、内筒金具１２に対する外筒金具１８との軸方向における相対変位量が規制されるようになっている。
【００４７】
さらに、ここでは、内フランジ部６２の上面に、外筒金具１８における下端部の前記延出筒壁部分に相当する肉厚をもった連結ゴム部６８が形成され、この連結ゴム部６８にて、内フランジ部６２の下面に設けられた緩衝ゴム部６６と外筒金具１８の内周面に固着されたシールゴム層４８とが互いに連結されて、一体化されている。これによって、中間スリーブ１４の下端面６０が、連結ゴム部６８を介して、内フランジ部６２の上面（内側面）と対向位置せしめられており、以て、中間スリーブ１４と外筒金具１８との間に、外筒金具１８を上方に引き抜くような引抜力、若しくは中間スリーブ１４を下方に引き抜くような引抜力が作用せしめられた際に、中間スリーブ１４の下端面６０に対する連結ゴム部６８及び内フランジ部６２の係止作用に基づいて、かかる引抜きが阻止されるようになっている。
【００４８】
また、かかる連結ゴム部６８とそれに連続する緩衝ゴム部６６とには、連結ゴム部６８の上面と、連結ゴム部６８及び緩衝ゴム部６６の各内周面とにおいてそれぞれ開口し、径方向と上下方向に連続してＬ字状に延びる凹溝７０が、周方向に等間隔をおいた周上の複数個所（ここでは６個所）に、それぞれ１個ずつ形成されている（図６参照）。
【００４９】
さらに、本実施形態のメンバマウント１０においては、外筒金具１８の上端部における前記延出筒壁部分に、かかる部分が径方向内方に屈曲せしめられて、凹まされることにより、径方向内方に突出した係合凸部７２が、周方向に連続して延びるように設けられている。そして、この係合凸部７２が、中間スリーブ１４の上端面５６に対して、それらの間に介装されたシールゴム層４８の介装部分を介して、軸方向において係合せしめられている。
【００５０】
かくして、かかるメンバマウント１０においては、中間スリーブ１４と外筒金具１８との間に、外筒金具１８を下方に引き抜くような引抜力、若しくは中間スリーブ１４を上方に引き抜くような引抜力が作用せしめられた際に、中間スリーブ１４の上端面５６に対するシールゴム層４８の介装部分及び係合凸部７２の係止作用に基づいて、中間スリーブ１４と外筒金具１８との間に、有効な引抜抵抗力、つまり耐抜け力が、十分な大きさにおいて発揮され得るようになっているのである。
【００５１】
ところで、かくの如き構造とされたサスペンションメンバマウント１０を製造する際には、例えば、以下の如き手法が好適に採用される。
【００５２】
先ず、図３に示されるように、本体ゴム弾性体１６の内外周面に内筒金具１２と中間スリーブ１４とが加硫接着された一体加硫成形品７４を公知の手法にて加硫成形する。なお、この一体加硫成形品７４の成形に際しては、中間スリーブ１４として、２個の窓部２６，２６を有すると共に、軸方向中間部２０が凹溝状に小径化されてなるものの、軸方向の上側端部２４と下側端部２２とが同一の径とされたものが、使用される。
【００５３】
次いで、かくして成形された一体加硫成形品７４の中間スリーブ１４に対して、縮径加工を行う。この縮径加工は、例えば、図４に示される如く、八方絞り加工や十六方絞り加工等において一般に用いられる絞り型７６が使用されて、実施されるが、ここでは、特に、かかる絞り型７６として、中間スリーブ１４の下側端部２２との接触部位が小径部７８とされる一方、中間スリーブ１４の上側端部２４との接触部位が大径部８０とされてなるものが、用いられる。そして、このような絞り型７６を用いた中間スリーブ１４に対する縮径加工が行われることによって、中間スリーブの下側端部２２が、その上側端部２４よりも所定寸法だけ小径化されてなる中間成形体８２が、一体加硫成形品７４から形成されて、準備されることとなる。
【００５４】
なお、この中間成形体８２の形成に際しては、例えば、一体加硫成形品７４を成形する前に、中間スリーブ１４に対して、絞り型７６を用いた縮径加工を予め実施したり、或いは転造加工等、絞り加工以外の公知の塑性加工等により、下側端部２２を上側端部２４よりも小径化し、その後、この中間スリーブ１４を内筒金具１２と共に、本体ゴム弾性体１６に加硫接着せしめて、一体加硫成形品７４を成形するように為すことも出来る。この手法によれば、一体加硫成形品７４の成形と同時に、中間成形体８２が形成されることとなる。また、かかる方法は、本体ゴム弾性体１６に予備圧縮を与える必要がない場合に、特に有効である。
【００５５】
一方、そのような中間成形体８２の準備とは別に、外筒金具１８を準備する。ここでは、図５（図６のＶ−Ｖ断面説明図）及び図６に示されるように、上端部と下端部とに、外フランジ部５８と内フランジ部６２とが、それぞれ一体形成されると共に、上方から下方に向かうに従って次第に小径となるテーパ筒状の全体形状を有する金属成形品が、外筒金具１８として、使用される。
【００５６】
そして、それに引き続いて、準備された外筒金具１８における内周面の全面に、薄肉のシールゴム層４８を、公知の加硫成形手法によって形成する。また、このシールゴム層４８の形成時には、外フランジ部５８の上面に、ストッパゴム部６４が、また、内フランジ部６２の上面（内側面）と下面（外側面）とに、連結ゴム部６８と緩衝ゴム部６６とが、それぞれ、内フランジ部６２を取り巻くようにして、シールゴム層４８と一体に形成される。そして、ここでは、特に、連結ゴム部６８と緩衝ゴム部６６とに対して、それらに跨って延びる凹溝７０が、周方向に等間隔をおいて、複数個（ここでは６個）設けられる。
【００５７】
なお、これら各凹溝７０は、各ゴム部６４，６６，６８を一体で有するシールゴム層４８の加硫成形時において、凹溝７０に対応した外形形状を有する突起状の凹溝形成部が設けられた加硫成形金型を用いることで、シールゴム層４８の成形と同時に、容易に形成されることとなる。また、ここでは、外筒金具１８として、内フランジ部６２の形成側が小径側とされたテーパ筒形状を有して、抜け勾配が付与されたものが使用されるため、シールゴム層４８の加硫成形時において、外筒金具１８の内周面に接触せしめられた金型部分が、内フランジ部６２側とは反対側のみから引き抜かれるにも拘わらず、優れた離型性が発揮され得る。それ故、複数の外筒金具１８のそれぞれに対するシールゴム層４８の加硫成形が、一挙に且つ容易に行われ得るようになる。
【００５８】
次に、図７に示されるように、中間成形体８２の中間スリーブ１４に一対のオリフィス形成部材４０，４０を組み付けた後、非圧縮性流体８３中において、かかる中間成形体８２に対して、外筒金具１８を、その上側開口部を通じて、下側から外挿せしめる。その後、それらを支持台８１に支持させる。かくして、かかる外挿操作により、外筒金具１８の内フランジ部６２の上面（内側面）を、連結ゴム部６８を介して、中間スリーブ１４の下端面６８に接触させ、係合せしめる。また、シールゴム層４８の内周面に設けられた各シール突起５５を、中間スリーブ１４の上側端部２４の上部外周面及び下側端部２２の下部外周面と、オリフィス形成部材４０とに対して、それぞれ対応位置せしめる。
【００５９】
このとき、中間スリーブ１４の外周面と外筒金具１８の内周面との間には、それらの全周にわたって隙間が形成されている。そして、そのような隙間のうち、中間スリーブ１４の大径の上側端部２４の端縁部と外筒金具１８の上端部における外フランジ部５８よりも下側部分との間に形成される隙間が、中間成形体８２と外筒金具１８との間の部分を、その上側において、外部に連通せしめる第一の逃げ道８５とされる。また、中間スリーブ１４の小径の下側端部２２の端縁部と外筒金具１８の下端部における内フランジ部６２よりも上側部分との間に形成される隙間が、外筒金具１８の内フランジ部６２を取り巻く連結ゴム部６８と緩衝ゴム部６６とに連続して延びるように設けられた前記複数の凹溝７０を通じて、中間成形体８２と外筒金具１８との間の部分を、その下側において、外部に連通せしめる第二の逃げ道８７とされる。
【００６０】
その後、外筒金具１８に対して縮径加工を行う。この縮径加工は、例えば、図８に示されるように、非圧縮性流体８３中で、所定の絞り型８４を用いた八方絞り加工や十六方絞り加工等により、外筒金具１８に対して、外周面から径方向内方への圧縮力を及ぼすことによって、有利に為され得る。そして、この絞り加工（縮径加工）により、外筒金具１８を縮径して、一対のオリフィス形成部材４０，４０を中間スリーブ１４に対して流体密に嵌着固定せしめると共に、中間スリーブ１４を外筒金具１８に対して流体密に嵌着固定せしめる。それにより、中間成形体８２と外筒金具１８とが固定的に組に付けられると同時に、第一及び第二流体室（５０，５２）が形成される。
【００６１】
なお、そこにおいて、絞り型８４の上端部には、内周面側に突出する絞り突起８６が形成されており、この絞り突起８６が形成された上端部が、その他の部位よりも径方向の絞り率を大きくなし得るように構成されている。また、かかる絞り突起８６は、絞り型８４の上端部に向かって傾斜面をもって次第に突出し、上端部で突出高さが最大となると共に、突出先端部に滑らかなアール面とされた断面形状をもって、絞り型８４の周方向に連続して形成されている。更に、この絞り型８４においては、下端部側部位が、絞り突起８６の形成部位を除いた上端部側部位よりも所定寸法大径化された大径部８８とされている。
【００６２】
かくして、ここでは、そのような絞り型８４を用いて、上述の如き外筒金具１８に対する絞り加工を行うことにより、外筒金具１８は、絞り突起８６と接触する上端部において、それ以外の部位よりも大きく縮径され、また、絞り型８４の大径部８８と接触する下端部側部位において、上端部を除く上側部分よりも大きく縮径される。その結果、図１に示されるように、外筒金具１８における中間スリーブ１４の上端面５６よりも上方に延び出す延出筒壁部分に、係合凸部７２が、周方向に連続して設けられると共に、下端部側部位が、係合凸部７２を除く上端部分よりも小径化される。
【００６３】
また、このような外筒金具１８の縮径過程では、中間成形体８２と外筒金具１８との間に存在せしめられた非圧縮性流体８３のうち、本体ゴム弾性体１６のポケット部３０内に収容された部分を除いた非圧縮性流体８３が、絞り（縮径）操作の進行に伴って、前記せる第一の逃げ道８５と第二の逃げ道８７及び複数の凹溝７０とを通じて、中間成形体８２と外筒金具１８との間から外部に逃がされるようになる。
【００６４】
そして、外筒金具１８の絞り加工の更なる進行により、外筒金具１８の上端部が、絞り突起８６にて大きく縮径されて、図８に示される如く、かかる上端部に係合凸部７２が形成されると共に、この係合凸部７２の内側に位置するシールゴム層４８部分が、中間スリーブ１４における上側端部２４の端縁部に接触せしめられると、第一の逃げ道８５が閉鎖されて、この第一の逃げ道８５を通じての非圧縮性流体８３の逃げが阻止されるようになる。
【００６５】
しかしながら、中間スリーブ１４の下側端部２２が、その上側端部２４よりも小径化されているため、図８及び図９から明らかな如く、第一の逃げ道８５が閉鎖されて時点でも、第二の逃げ道８７が閉鎖されることなく、各凹溝７０を通じての外部との連通状態が未だ維持されるようになる。これによって、第一の逃げ道８５が閉鎖された後においても、外筒金具１８に対する絞り加工の進行に伴って、本体ゴム弾性体１６のポケット部３０内に収容された部分を除いた非圧縮性流体８３が、第二の逃げ道８７と各凹溝７０とを通じて、中間成形体８２と外筒金具１８との間から外部に逃がされるようになる。
【００６６】
そして、絞り加工の更なる進行により、やがて、外筒金具１８の下端部が、係合凸部７２を除く他の部位よりも大きく縮径されて、シールゴム層４８を介して、中間スリーブ１４の下側端部２２に密接せしめられると、第二の逃げ道８７も閉鎖されて、外筒金具１８の内周面と中間スリーブ１４の外周面との間が流体密にシールされる。このとき、外筒金具１８と中間成形体８２との間に存在する非圧縮性流体８３が、第一及び第二流体室５０，５２内に収容されるのに十分な量とされると共に、それら各流体室５０，５２内に収容される非圧縮性流体８３の余剰量が可及的に少なく為され得るようになる。
【００６７】
そうして、前記せるように、中間成形体８２と外筒金具１８とが固定的に組に付けられると同時に、第一及び第二流体室（５０，５２）が形成され、以て、目的とするサスペンションメンバマウント１０が、完成されることとなる。
【００６８】
このように、本実施形態においては、前述せる如き外筒金具１８と中間スリーブ１４の軸方向における優れた耐抜け力を実現する外筒金具１８の係合凸部７２が、外筒金具１８を中間スリーブ１４に嵌着固定するために従来から一般に実施される外筒金具１８に対する絞り加工を行うことによって、容易に形成され得る。その結果、係合凸部７２を形成するために特別な工程や作業を行うことなく、外筒金具１８と中間スリーブ１４との間の軸方向における耐抜け力が、有利に確保され得る。
【００６９】
そして、特に、本実施形態によれば、外筒金具１８がテーパ筒形状とされていることにより、複数の外筒金具１８のそれぞれに対するシールゴム層４８の成形が、一挙に且つ容易に行われ得るため、シールゴム層４８が内周面に形成された外筒金具１８、ひいては目的とするサスペンションメンバマウント１０の製作性、更にはその量産性が、効果的に高められ得る。
【００７０】
しかも、本実施形態においては、そのように外筒金具１８がテーパ筒形状とされているにも拘わらず、外筒金具１８の縮径過程で、外筒金具１８と中間成形体８２との間に存在する余分な非圧縮性流体８３が、第一の逃げ道８５と第二の逃げ道８７とを通じて、十分な量において外部に十分に逃がされて、第一及び第二流体室５０，５２内に収容される非圧縮性流体８３の余剰量が可及的に少なくされる。それ故、それら第一及び第二流体室５０，５２の壁部の一部を構成する本体ゴム弾性体１６の薄肉部３６が、余剰な非圧縮性流体８３によって、膨張したり、余分な負荷を掛けられるようなことが効果的に解消乃至は抑制され得る。
【００７１】
従って、かくの如き本実施形態によれば、外筒金具１８と中間スリーブ１４との軸方向における耐抜け力が十分な大きさにおいて確保されて、軸方向の耐荷重性が有利に高められたサスペンションメンバマウント１０を、優れた製作性をもって、しかも防振特性や使用耐久性を損なうことなく、有利に量産することが可能となるのである。
【００７２】
また、本実施形態においては、第二の逃げ道８７を外部に連通せしめる凹溝７０が、外筒金具１８における内フランジ部６２を取り巻くようにして、シールゴム層４８と一体に形成された連結ゴム部６８と緩衝ゴム部６６に連続して延びるように設けられていることで、外筒金具１８に対してシールゴム層４８を形成すると同時に形成されるようになっているところから、そのような凹溝７０を設けるための特別な操作が必要なく、その分だけ、目的とするサスペンションメンバマウント１０の製作工数の削減が有利に図られている。これによって、サスペンションメンバマウント１０の製作性が、更に効果的に高められ得るのである。
【００７３】
さらに、本実施形態によれば、外筒金具１８に対する絞り加工により、外筒金具１８の下端部が、係合凸部７２を除いた他の部分よりも大きく縮径されるため、かかる外筒金具１８の下端部を、予め小径化された中間スリーブ１４の下側端部２２に対して、より確実に密接させることが可能となり、以て、より優れたシール性が確保され得ることとなる。
【００７４】
以上、本発明の一実施形態について詳述してきたが、これはあくまでも例示であって、本発明は、かかる実施形態に関する具体的な記載によって、何等限定的に解釈されるものではない。
【００７５】
例えば、外筒金具１８の上端部に形成される係合凸部７２は、外フランジ部５８の下側部分を凹ませてなる如き例示の形状に、何等限定されるものではない。即ち、例えば、特開平１０−４７４２０号公報に記載されるように、外筒金具１８の上端部を、単に、内側に屈曲せしめてなる形状としても良い。
【００７６】
また、前記実施形態では、内フランジ部６２の内側面上と径方向内方とに開口して、第二の逃げ道８７を外部に連通せしめる凹溝７０が、内フランジ部６２を取り巻く連結ゴム部６８を緩衝ゴム部６６とに連続して延びるように設けられていたが、それら連結ゴム部６８や緩衝ゴム部６６が内フランジ部６２に設けられない場合等には、例えば、内フランジ部６２に対する塑性加工を行う等して、かかる凹溝を内フランジ部６２に対して直接に形成しても、何等差し支えない。
【００７７】
さらに、テーパ筒形状とされた外筒金具１８のテーパ角度は、特に限定されるものではなく、外筒金具１８に対するシールゴム層４８の加硫成形時における離型性等を考慮して、適宜に決定されるところである。
【００７８】
更にまた、流体室５０，５２やオリフィス通路５４の配設位置や配設個数、配設形態等の具体的構造は、要求される防振特性等に応じて適宜に決定されるものであって、例示のものに、決して限定されるものでない。
【００７９】
また、軸部材は、例示の金属製の筒状部材以外の中実の部材であっても、何等差し支えない。
【００８０】
加えて、本発明は、例示の如きサスペンションメンバマウントの製造方法の他、デフマウントやボデーマウント、サブフレームマウント、キャブマウント、ストラットバークッション等、更にはその他の各種の機械装置等における流体封入式筒型防振組付体の製造方法の何れに対しても、適用可能であることは、勿論である。
【００８１】
その他、一々列挙はしないが、本発明は当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００８２】
【図１】本発明手法に従って製造される流体封入式筒型防振組付体の一実施形態を示す縦断面説明図であって、図２におけるＩ−Ｉ断面に相当する図である。
【図２】図１におけるII−II断面説明図である。
【図３】本発明手法に従って、図１に示された流体封入式防振組付体を製造する際の一工程例を説明するための図であって、中間成形体を与える一体加硫成形品を作製して、準備した状態を示している。
【図４】図３に示される工程に引き続いて実施される工程を説明するための図であって、一体加硫成形品に対する絞り加工を行って、中間スリーブの下側部位が上側部位よりも小径化されてなる中間成形体を形成した状態を示している。
【図５】図３に示される工程とは別個に実施される工程を説明するための図であって、中間成形体に組み付けられるべき外筒金具を作製して、準備した状態を示す、図６におけるＶ−Ｖ断面に相当する図である。
【図６】図５における平面説明図である。
【図７】図３や図５に示される工程に引き続いて実施される工程を説明するための図であって、非圧縮性流体中で、中間成形体に外筒金具を外挿して組み付けた状態を示している。
【図８】図７に示される工程に引き続いて実施される工程を説明するための図であって、中間成形体に組み付けた外筒金具に対する絞り加工を行っている状態を示している。
【図９】図７における部分拡大説明図である。
【符号の説明】
【００８３】
１０  サスペンションメンバマウント    １２  内筒金具
１４  中間スリーブ                    １６  本体ゴム弾性体
１８  外筒金具                        ２２  下側端部
２４  上側端部                        ４８  シールゴム層
５０  第一流体室                      ５２  第二流体室
５４  オリフィス通路                  ６２  内フランジ部
７０  凹溝                            ７２  係合凸部
８２  中間成形体                      ８５  第一の逃げ道
８７  第二の逃げ道
【図１】
2007255688.tif 000003
【図２】
2007255688.tif 000004
【図３】
2007255688.tif 000005
【図４】
2007255688.tif 000006
【図５】
2007255688.tif 000007
【図６】
2007255688.tif 000008
【図７】
2007255688.tif 000009
【図８】
2007255688.tif 000010
【図９】
2007255688.tif 000011